(57)【要約】【課題】入金される紙幣の金種が特定の金種に偏る場合であってもこの特定の金種の紙幣を機体外部から取り出し可能とすることにより収納庫の容量を低減することができ、また、入金処理および釣銭準備処理を同時に行うことができるので全体の処理時間を短縮することができる紙幣入金装置を提供する。【解決手段】設定部５２は、機体外部に取り出されるべき取出紙幣Ｐの金種および金種毎の枚数を設定する。制御部５０は、設定部５２により設定された金種の紙幣Ｐが設定された枚数分だけ集積部６０に集積されるとシャッター部６２により開口６１を開き、設定部５２により設定された金種以外の紙幣Ｐが集積部６０に集積された場合は移動機構１０により集積部６０に集積された紙幣を収納庫７０へ移動させるよう、シャッター部６２および移動機構１０の制御を行う。【選択図】図２
2011123538.tif 000002
【特許請求の範囲】
【請求項１】
投入された紙幣を１枚ずつ機体内部に取り込む受入部と、
前記受入部により機体内部に取り込まれた紙幣を搬送する搬送部と、
前記搬送部に設けられ、当該搬送部により搬送される紙幣の識別を行う識別部と、
前記搬送部に接続され、当該搬送部から送られた紙幣を集積する集積部と、
前記集積部に集積された紙幣が当該集積部から送られ、この送られた紙幣を受け入れて収納する収納庫と、
前記集積部に集積された紙幣を前記収納庫へ移動させる移動機構と、
前記集積部に集積された紙幣を機体外部から取り出すための開口を開閉するシャッター部と、
機体外部に取り出されるべき取出紙幣の金種および金種毎の枚数を設定する設定部と、
少なくとも前記シャッター部および前記移動機構の制御を行う制御部であって、前記設定部により設定された金種の紙幣が設定された枚数分だけ前記集積部に集積されると前記シャッター部により前記開口を開き、前記設定部により設定された金種以外の紙幣が前記集積部に集積された場合は前記移動機構により前記集積部に集積された紙幣を前記収納庫へ移動させるよう制御を行う制御部と、
を備えたことを特徴とする紙幣入金装置。
【請求項２】
前記制御部は、前記集積部から前記開口を介して機体外部に取り出された紙幣の金額、および前記収納庫に収納された紙幣の金額を合算して入金金額を算出するようになっていることを特徴とする請求項１記載の紙幣入金装置。
【請求項３】
前記制御部は、前記設定部により設定された金種の紙幣が前記集積部に集積された場合であっても、前記設定部により設定された枚数を超える紙幣については前記移動機構により前記収納庫へ移動させるよう制御を行うことを特徴とする請求項１または２記載の紙幣入金装置。
【請求項４】
前記設定部は、機体外部に取り出されるべき取出紙幣のバッチ取り出しを行う際のバッチ枚数も設定することができるようになっており、
前記制御部は、前記設定部により設定された金種の紙幣が設定されたバッチ枚数分だけ前記集積部に集積される毎に前記シャッター部により前記開口を開くよう制御を行うことを特徴とする請求項１乃至３のいずれか一項に記載の紙幣入金装置。
【請求項５】
前記集積部から前記開口を介して機体外部に取り出された紙幣の金種毎の枚数、および前記収納庫に収納された紙幣の金種毎の枚数を表示する表示部を更に備えており、
前記表示部は、前記設定部により設定された金種の紙幣が前記集積部に集積された際に当該集積部に集積された紙幣の枚数が前記設定部により設定された枚数に達しない場合にはこのことを表示することを特徴とする請求項１乃至４のいずれか一項に記載の紙幣入金装置。
【請求項６】
前記集積部から前記開口を介して機体外部に取り出された紙幣の金種毎の枚数、および前記収納庫に収納された紙幣の金種毎の枚数を印字する印字部を更に備えており、
前記印字部は、前記設定部により設定された金種の紙幣が前記集積部に集積された際に当該集積部に集積された紙幣の枚数が前記設定部により設定された枚数に達しない場合にはこのことを印字することを特徴とする請求項１乃至５のいずれか一項に記載の紙幣入金装置。
【請求項７】
投入された紙幣を１枚ずつ機体内部に取り込む受入部と、
前記受入部により機体内部に取り込まれた紙幣を搬送する搬送部と、
前記搬送部に設けられ、当該搬送部により搬送される紙幣の識別を行う識別部と、
前記搬送部に接続され、当該搬送部から送られた紙幣を集積する集積部と、
前記集積部に集積された紙幣が当該集積部から送られ、この送られた紙幣を受け入れて収納する収納庫と、
前記集積部に集積された紙幣を前記収納庫へ移動させる移動機構と、
前記集積部に集積された紙幣を機体外部から取り出すための開口を開閉するシャッター部と、
前記収納庫に収納されるべき収納紙幣の金額を設定する設定部と、
少なくとも前記シャッター部および前記移動機構の制御を行う制御部であって、前記収納庫に収納された紙幣の金額が前記設定部により設定された金額に達するまでは前記集積部に集積された紙幣を前記移動機構により前記収納庫へ移動させ、前記収納庫に収納された紙幣の金額が前記設定部により設定された金額に達すると前記シャッター部により前記開口を開くよう制御を行う制御部と、
を備え、
前記制御部は、前記集積部から前記開口を介して機体外部に取り出された紙幣の金額、および前記収納庫に収納された紙幣の金額を合算して入金金額を算出するようになっていることを特徴とする紙幣入金装置。
【請求項８】
前記集積部から前記開口を介して機体外部に取り出された紙幣の金種毎の枚数、および前記収納庫に収納された紙幣の金種毎の枚数を表示する表示部を更に備えており、
前記表示部は、前記収納庫に収納された紙幣の金額が前記設定部により設定された金額に達しない場合にはこのことを表示することを特徴とする請求項７記載の紙幣入金装置。
【請求項９】
前記集積部から前記開口を介して機体外部に取り出された紙幣の金種毎の枚数、および前記収納庫に収納された紙幣の金種毎の枚数を印字する印字部を更に備えており、
前記印字部は、前記収納庫に収納された紙幣の金額が前記設定部により設定された金額に達しない場合にはこのことを印字することを特徴とする請求項７または８記載の紙幣入金装置。
【請求項１０】
前記設定部は、当該設定部により設定された金額の紙幣が前記収納庫に収納された後に機体外部に取り出されるべき取出紙幣のバッチ取り出しを行う際の金種およびバッチ枚数も設定することができるようになっており、
前記制御部は、前記設定部により設定された金種の紙幣が設定されたバッチ枚数分だけ前記集積部に集積される毎に前記シャッター部により前記開口を開くよう制御を行うことを特徴とする請求項７乃至９のいずれか一項に記載の紙幣入金装置。
【発明の詳細な説明】
【技術分野】
【０００１】
本発明は、機体外部から紙幣が入金され、この入金された紙幣を機体内部に収納する紙幣入金装置に関する。
【背景技術】
【０００２】
従来から、機体外部から紙幣が入金され、この入金された紙幣を機体内部に収納するような紙幣入金装置として、様々な種類のものが知られている。このような紙幣入金装置としては、同じ容量の収納部が金種別に複数設けられ、入金された紙幣を金種別に各収納部に収納させるタイプのものや、紙幣が混合して収納される混合収納部が設けられ、入金された紙幣を混合収納部に混合状態で収納させるタイプのものが知られている。
【０００３】
しかしながら、従来の紙幣入金装置において、入金される紙幣の金種が特定の金種（例えば、千円札や五千円札）に偏る場合には、以下に示すような問題が生じるおそれがある。すなわち、紙幣入金装置として、金種別に紙幣を各収納部に収納させるタイプのものを用いた場合には、入金される紙幣の金種が特定の金種に偏ることにより、この特定の金種以外の金種に対応する収納部には紙幣があまり収納されなくなるので、この収納部の容量を十分に活用することができない。また、特定の金種に対応する収納部には多量の紙幣が収納されるためこの収納部の容量を大きくしなければならず、結果的に装置全体のサイズが大きくなってしまうという問題がある。一方、紙幣入金装置として、入金された紙幣を混合収納部に混合状態で収納させるタイプのものを用いた場合には、入金処理が終了した後に、混合収納部に収納された紙幣を手動で金種別に仕分けしなければならず、入金処理後の整理業務に時間がかかるという問題がある。
【０００４】
また、従来の紙幣入金装置として、特許文献１、２等に開示されるものが知られている。特許文献１に開示される売上金入金機は、入金された紙幣のうち指定した金額分のみの紙幣を機体内部に収納し、それ以外の紙幣をリジェクトするようになっている。また、特許文献２に開示される入出金処理装置は、紙幣が入金されるとともに、この入金された紙幣が収納される収納部とは別の収納部から紙幣を釣銭準備金として指定枚数分だけ出金するようになっている。
【０００５】
しかしながら、特許文献１に開示されるような売上金入金機では、紙幣カセットは１つしか設けられておらず、この紙幣カセットに紙幣を混合して収納させる場合には、入金処理が終了した後に、紙幣カセットに収納された紙幣を手動で金種別に仕分けしなければならないという問題がある。また、紙幣カセットを金種別に複数設けた場合であっても、入金される紙幣の金種が特定の金種に偏る場合には、この特定の金種に対応する紙幣カセットに多量の紙幣が収納されるためこの紙幣カセットの容量を大きくしなければならず、結果的に装置全体のサイズが大きくなってしまうという問題がある。また、機体内部に収納された紙幣だけが売上金として入金され、それ以上の紙幣はリジェクトされて計数されないので、リジェクトされた紙幣を釣銭準備金として使用する場合にはその金額を確認することができないという問題があった。また、特許文献２に開示されるような入出金処理装置では、釣銭準備金としての紙幣を、入金された紙幣ではなく別の収納部から出金するようになっており、入金された紙幣をそのまま出金させることができない。
【先行技術文献】
【特許文献】
【０００６】
【特許文献１】特許第３８６８６７７号
【特許文献２】特開２００７−２８６７４４号公報
【発明の概要】
【発明が解決しようとする課題】
【０００７】
本発明は、このような点を考慮してなされたものであり、機体外部に取り出されるべき取出紙幣の金種および金種毎の枚数を設定し、この設定された金種の紙幣が設定された枚数分だけ集積部に集積されるとシャッター部により開口を開いて機体外部から取り出し可能とし、設定部により設定された金種以外の紙幣が集積部に集積された場合はこの集積された紙幣を収納庫へ移動させるようにし、このことにより、入金される紙幣の金種が特定の金種に偏る場合であってもこの特定の金種の紙幣を機体外部から取り出し可能とすることにより収納庫の容量を低減することができ、また、入金処理および釣銭準備処理を同時に行うことができるので全体の処理時間を短縮することができる紙幣入金装置を提供することを目的とする。
【０００８】
また、本発明は、入金された紙幣のうち設定された金額分の紙幣を収納庫に収納させるとともにそれ以外の紙幣を機体外部から取り出し可能とし、しかも機体外部に取り出された紙幣の金額、および収納庫に収納された紙幣の金額を合算して入金金額を算出するようにし、このことにより、機体外部に取り出された紙幣の金額も入金金額に含ませることができる紙幣入金装置を提供することを目的とする。
【課題を解決するための手段】
【０００９】
本発明は、投入された紙幣を１枚ずつ機体内部に取り込む受入部と、前記受入部により機体内部に取り込まれた紙幣を搬送する搬送部と、前記搬送部に設けられ、当該搬送部により搬送される紙幣の識別を行う識別部と、前記搬送部に接続され、当該搬送部から送られた紙幣を集積する集積部と、前記集積部に集積された紙幣が当該集積部から送られ、この送られた紙幣を受け入れて収納する収納庫と、前記集積部に集積された紙幣を前記収納庫へ移動させる移動機構と、前記集積部に集積された紙幣を機体外部から取り出すための開口を開閉するシャッター部と、機体外部に取り出されるべき取出紙幣の金種および金種毎の枚数を設定する設定部と、少なくとも前記シャッター部および前記移動機構の制御を行う制御部であって、前記設定部により設定された金種の紙幣が設定された枚数分だけ前記集積部に集積されると前記シャッター部により前記開口を開き、前記設定部により設定された金種以外の紙幣が前記集積部に集積された場合は前記移動機構により前記集積部に集積された紙幣を前記収納庫へ移動させるよう制御を行う制御部と、を備えたことを特徴とする紙幣入金装置である。
【００１０】
このような紙幣入金装置においては、設定部において、機体外部に取り出されるべき取出紙幣の金種および金種毎の枚数が設定されるようになっている。そして、設定部により設定された金種の紙幣が設定された枚数分だけ集積部に集積されるとシャッター部により開口を開き、設定部により設定された金種以外の紙幣が集積部に集積された場合は移動機構により集積部に集積された紙幣を収納庫へ移動させるようになっている。このことにより、入金される紙幣の金種が特定の金種（例えば、千円札や五千円札）に偏る場合であってもこの特定の金種の紙幣を機体外部から取り出し可能とすることにより収納庫の容量を低減することができる。また、入金処理および釣銭準備処理を同時に行うことができるので全体の処理時間を短縮することができる。
【００１１】
上述のような紙幣入金装置においては、前記制御部は、前記集積部から前記開口を介して機体外部に取り出された紙幣の金額、および前記収納庫に収納された紙幣の金額を合算して入金金額を算出するようになっていてもよい。このことにより、機体外部に取り出された紙幣の金額も入金金額に含ませることができる。
【００１２】
上述のような紙幣入金装置においては、前記制御部は、前記設定部により設定された金種の紙幣が前記集積部に集積された場合であっても、前記設定部により設定された枚数を超える紙幣については前記移動機構により前記収納庫へ移動させるよう制御を行うようになっていてもよい。
【００１３】
上述のような紙幣入金装置においては、前記設定部は、機体外部に取り出されるべき取出紙幣のバッチ取り出しを行う際のバッチ枚数も設定することができるようになっており、前記制御部は、前記設定部により設定された金種の紙幣が設定されたバッチ枚数分だけ前記集積部に集積される毎に前記シャッター部により前記開口を開くよう制御を行うようになっていてもよい。
【００１４】
上述のような紙幣入金装置においては、前記集積部から前記開口を介して機体外部に取り出された紙幣の金種毎の枚数、および前記収納庫に収納された紙幣の金種毎の枚数を表示する表示部を更に備えており、前記表示部は、前記設定部により設定された金種の紙幣が前記集積部に集積された際に当該集積部に集積された紙幣の枚数が前記設定部により設定された枚数に達しない場合にはこのことを表示するようになっていてもよい。
【００１５】
また、前記集積部から前記開口を介して機体外部に取り出された紙幣の金種毎の枚数、および前記収納庫に収納された紙幣の金種毎の枚数を印字する印字部を更に備えており、前記印字部は、前記設定部により設定された金種の紙幣が前記集積部に集積された際に当該集積部に集積された紙幣の枚数が前記設定部により設定された枚数に達しない場合にはこのことを印字するようになっていてもよい。
【００１６】
本発明は、投入された紙幣を１枚ずつ機体内部に取り込む受入部と、前記受入部により機体内部に取り込まれた紙幣を搬送する搬送部と、前記搬送部に設けられ、当該搬送部により搬送される紙幣の識別を行う識別部と、前記搬送部に接続され、当該搬送部から送られた紙幣を集積する集積部と、前記集積部に集積された紙幣が当該集積部から送られ、この送られた紙幣を受け入れて収納する収納庫と、前記集積部に集積された紙幣を前記収納庫へ移動させる移動機構と、前記集積部に集積された紙幣を機体外部から取り出すための開口を開閉するシャッター部と、前記収納庫に収納されるべき収納紙幣の金額を設定する設定部と、少なくとも前記シャッター部および前記移動機構の制御を行う制御部であって、前記収納庫に収納された紙幣の金額が前記設定部により設定された金額に達するまでは前記集積部に集積された紙幣を前記移動機構により前記収納庫へ移動させ、前記収納庫に収納された紙幣の金額が前記設定部により設定された金額に達すると前記シャッター部により前記開口を開くよう制御を行う制御部と、を備え、前記制御部は、前記集積部から前記開口を介して機体外部に取り出された紙幣の金額、および前記収納庫に収納された紙幣の金額を合算して入金金額を算出するようになっていることを特徴とする紙幣入金装置である。
【００１７】
このような紙幣入金装置によれば、制御部は、集積部から開口を介して機体外部に取り出された紙幣の金額、および収納庫に収納された紙幣の金額を合算して入金金額を算出するようになっているので、機体外部に取り出された紙幣の金額も入金金額に含ませることができる。
【００１８】
上述のような紙幣入金装置においては、前記集積部から前記開口を介して機体外部に取り出された紙幣の金種毎の枚数、および前記収納庫に収納された紙幣の金種毎の枚数を表示する表示部を更に備えており、前記表示部は、前記収納庫に収納された紙幣の金額が前記設定部により設定された金額に達しない場合にはこのことを表示するようになっていてもよい。
【００１９】
また、前記集積部から前記開口を介して機体外部に取り出された紙幣の金種毎の枚数、および前記収納庫に収納された紙幣の金種毎の枚数を印字する印字部を更に備えており、前記印字部は、前記収納庫に収納された紙幣の金額が前記設定部により設定された金額に達しない場合にはこのことを印字するようになっていてもよい。
【００２０】
上述のような紙幣入金装置においては、前記設定部は、当該設定部により設定された金額の紙幣が前記収納庫に収納された後に機体外部に取り出されるべき取出紙幣のバッチ取り出しを行う際の金種およびバッチ枚数も設定することができるようになっており、前記制御部は、前記設定部により設定された金種の紙幣が設定されたバッチ枚数分だけ前記集積部に集積される毎に前記シャッター部により前記開口を開くよう制御を行うようになっていてもよい。
【発明の効果】
【００２１】
本発明の紙幣入金装置によれば、入金される紙幣の金種が特定の金種に偏る場合であってもこの特定の金種の紙幣を機体外部から取り出し可能とすることにより収納庫の容量を低減することができ、また、入金処理および釣銭準備処理を同時に行うことができるので全体の処理時間を短縮することができる。
【００２２】
また、本発明の他の紙幣入金装置によれば、機体外部に取り出された紙幣の金額も入金金額に含ませることができる。
【図面の簡単な説明】
【００２３】
【図１】本発明の実施の形態による紙幣入金装置を示す斜視図である。
【図２】図１に示す紙幣入金装置の構成を示す側方断面図である。
【図３】図１に示す紙幣入金装置の挟持搬送機構の具体的構成を示す側方断面図である。
【図４】図１等に示す紙幣入金装置の表示入力部の具体的構成を示す構成図である。
【図５】図１等に示す紙幣入金装置の制御部の具体的構成を示す構成図である。
【図６】図１等に示す紙幣入金装置において、載置部に載置される紙幣の金種が１つである場合の動作を示すフローチャートである。
【図７】図１等に示す紙幣入金装置において、載置部に載置される紙幣の金種が複数である場合の表示入力部のモニタの画面（設定時）を示す図である。
【図８】図１等に示す紙幣入金装置において、載置部に載置される紙幣の金種が複数である場合の動作を示すフローチャートである。
【図９】図１等に示す紙幣入金装置において、載置部に載置される紙幣の金種が複数である場合の表示入力部のモニタの画面（計数結果表示時）を示す図である。
【図１０】変形例に係る紙幣入金装置の動作を示すフローチャートである。
【図１１】図１等に示す紙幣入金装置において、複数の金種の紙幣の束が載置部に載置されたときの当該紙幣の束の構成を示す説明図である。
【発明を実施するための形態】
【００２４】
以下、図面を参照して本発明の実施の形態について説明する。図１乃至図１１は、本実施の形態に係る紙幣入金装置を示す図である。
【００２５】
まず、図１乃至図５を用いて紙幣入金装置の構成について説明する。図２に示すように、紙幣入金装置は、筐体１と、筐体１に設けられて複数の紙幣Ｐが載置される載置部２０と、載置部２０に載置された複数の紙幣Ｐを１枚ずつ筐体１内に取り込む受入部２５と、受入部２５により取り込まれた紙幣Ｐを搬送する搬送部３０と、搬送部３０で搬送された紙幣Ｐを集積する集積部６０と、搬送部３０に設けられ、当該搬送部３０で搬送される紙幣Ｐの金種や真偽等を識別するとともに計数（識別計数）する識別部４０と、集積部６０に集積された紙幣Ｐを受け入れて収納する収納庫７０と、を備えている。
【００２６】
このうち、受入部２５は、図２に示すように、載置部２０に載置された複数の紙幣Ｐのうち最も下方に位置する紙幣Ｐに駆動力を与えるキッカローラ２６と、紙幣Ｐの繰出方向においてキッカローラ２６の下流側に配置され、キッカローラ２６により蹴り出された紙幣Ｐの筐体１の内部への繰り出しを行うフィードローラ２７ａとを有している。また、フィードローラ２７ａに対向してゲートローラ（逆転ローラ）２７ｂが設けられており、フィードローラ２７ａとゲートローラ２７ｂとの間にゲート部が形成されている。
【００２７】
また、図２に示すように、搬送部３０は、紙幣Ｐを搬送する搬送ベルト３１、搬送ローラ３２等で構成されている。また、搬送部３０の最下流部で、集積部６０近傍には、搬送部３０で搬送された紙幣Ｐを１枚毎に羽根３５ａの間で受け止めて集積部６０に整列集積させる羽根車３５が設けられている。
【００２８】
また、図２に示すように、集積部６０は、集積紙幣Ｐを前面側に傾斜させた状態で集積させる形状となっており、搬送部３０から送られた紙幣Ｐを支持部６４で支持させることで、前面側に傾斜させた立位状態で紙幣Ｐを集積するように構成されている。なお、本願で前面側とは、操作者が紙幣Ｐを載置部２０に載置したり、後述する前面開口部６１を介して集積部６０から紙幣Ｐを取り出したりする側のことを意味し、図２の右側のことを意味している。他方、本願で後面側とは、前面側と反対側を意味し、図２の左側のことを意味している。
【００２９】
また、集積部６０の前面側には、集積された紙幣Ｐを外部から取り出すための前面開口部６１（図２参照）と、当該前面開口部６１を開閉するための前面シャッター部６２（図１参照）が設けられている。この前面シャッター部６２は、後述する制御部５０によって、少なくとも挟持搬送機構１０（後述）によって紙幣Ｐを収納庫７０へ搬送しているときに開放不可能となるように制御されている。
【００３０】
また、図２に示すように、集積部６０には、当該集積部６０に集積された紙幣Ｐの表面を挟持し、その表面と平行な方向へ当該紙幣Ｐを搬送することで収納庫７０へ紙幣Ｐを収納させる挟持搬送機構１０が設けられている。より具体的には、挟持搬送機構１０は、集積部６０に集積された複数の紙幣Ｐのうち最も前面側に位置する紙幣Ｐの表面と最も後面側に位置する紙幣Ｐの表面を挟持し、当該複数の紙幣Ｐを一括して収納庫７０へ搬送することができるように構成されている（図２の矢印Ａ１参照）。
【００３１】
図３（ａ）（ｂ）に示すように、挟持搬送機構１０は、集積部６０に前傾姿勢の立位状態で集積された紙幣Ｐの下端を支持し、当該紙幣Ｐを収納庫７０へ収納させるときにスライドして開かれるスライド部１３と、スライド部１３がスライドして開かれたときに複数の紙幣Ｐのうち最も後面側に位置する紙幣Ｐの表面に当接する第一当接搬送部１１と、同じく、スライド部１３がスライドして開かれたときに複数の紙幣Ｐのうち最も前面側に位置する紙幣Ｐの表面に当接するとともに駆動力を与える第二当接搬送部１２と、を有している。
【００３２】
このうち、第一当接搬送部１１は、集積紙幣Ｐの下方部分に当接する第一上部ローラ１１ａ、後述する収納庫７０のスリット開口部７１の上方に位置する第一下部ローラ１１ｂ、およびそれらのローラ間に張設されたベルト１１ｃ等から構成され、集積紙幣Ｐを下方へ搬送するために回転自在に設けられている。また、第二当接搬送部１２は、第一上部ローラ１１ａに対向する第二上部ローラ１２ａと、第一下部ローラ１１ｂに対向する第二下部ローラ１２ｂとから構成され、第二上部ローラ１２ａと第二下部ローラ１２ｂはそれぞれ、集積紙幣Ｐを下方へ搬送するように、当該集積紙幣Ｐに駆動力を与えるようになっている。
【００３３】
なお、スライド部１３と第一当接搬送部１１との間には、集積紙幣Ｐの下部を回避した位置においてバネ等からなる弾性部材１４が設けられており、スライド部１３が前面側に移動した際に（図３（ｂ）参照）、第一当接搬送部１１が前面側に引っ張られる構成となっている。そして、第一当接搬送部１１が前面側に引っ張られることによって、第一当接搬送部１１と第二当接搬送部１２との間で複数の紙幣Ｐが挟持されることとなる。
【００３４】
ところで、本実施の形態では、第二当接搬送部１２が紙幣Ｐの表面に駆動力を与え、第一当接搬送部１１は回転可能になっているだけであるが、これに限られることはない。例えば、上述のような態様とは逆に、第一当接搬送部１１が紙幣Ｐの表面に駆動力を与え、第二当接搬送部１２は回転可能になっているだけであってもよいし、また、第一当接搬送部１１と第二当接搬送部１２の両方が紙幣Ｐの表面に駆動力を与えてもよい。
【００３５】
また、図２に示すように、収納庫７０には、挟持搬送機構１０で搬送される紙幣Ｐを取り込むためのスリット状のスリット開口部７１と、当該スリット開口部７１を開閉するためのスリットシャッター部７２が設けられている。なお、図１に示すように、収納庫７０は、ロック部材７６によってロック可能な収納筐体７５内に取り出し自在に配置されている。
【００３６】
また、図２に示すように、搬送部３０には、異常時に、集積部６０に搬送されない紙幣Ｐが搬送されるリジェクト部６５が設けられている。ここでいう異常とは、識別異常および搬送異常を意味している。識別異常とは、識別部４０で識別された紙幣Ｐの情報が後述する制御部５０に予め記憶された情報と一致しない場合のことを意味している。そして、このような識別異常としては、例えば、識別された紙幣Ｐが予定していた金種と異なる種類の紙幣Ｐであると識別されたときや、そもそも紙幣Ｐの金種を識別することができなかったときなどを挙げることができる。また、搬送異常とは、搬送部３０によって紙幣Ｐを搬送する際の異常を意味している。そして、このような搬送異常としては、例えば、紙幣Ｐが斜めに搬送されている場合（斜行）や、複数の紙幣Ｐが所定の間隔を隔てないで搬送されている場合（連鎖）、複数の紙幣Ｐが重なって搬送されている場合（重送）などを挙げることができる。
【００３７】
また、図１に示すように、紙幣入金装置の筐体１には、所定の情報を表示する機能とデータ入力を可能とする機能を有する表示入力部５が設けられている。表示入力部５の具体的構成を図４に示す。図４に示すように、表示入力部５は、紙幣Ｐの計数結果等を表示するモニタ５ａと、操作者が様々な指令を入力するための複数の入力キー５ｂとから構成されている。モニタ５ａには、例えば、集積部６０から前面開口部６１を介して筐体１の外部に取り出された紙幣Ｐの金種毎の枚数や、収納庫７０に収納された紙幣Ｐの金種毎の枚数を表示するようになっている。図４に示すように、複数の入力キー５ｂは、メニューキー、交換キー、クリアキー、確定キー、上下左右各方向の矢印キー、シフトキー、モードキー、締めキー、回収キー、スタート／ストップキー等から構成されている。
【００３８】
また、図２に示すように、紙幣入金装置には、当該紙幣入金装置の各構成要素の制御を行う制御部５０が設けられている。制御部５０の具体的構成を図５に示す。図５に示すように、制御部５０には、受入部２５、搬送部３０、識別部４０、前面シャッター部６２、挟持搬送機構１０、スリットシャッター部７２、表示入力部５等がそれぞれ接続されている。そして、識別部４０により識別計数された紙幣Ｐの識別計数情報は制御部５０に送られるようになっている。また、表示入力部５の各入力キー５ｂにより入力された操作者からの様々な指令は制御部５０に送られるようになっている。また、制御部５０は、受入部２５、搬送部３０、前面シャッター部６２、挟持搬送機構１０、スリットシャッター部７２、表示入力部５等の各構成要素に制御信号を送り、これらの構成要素の制御を行うようになっている。
【００３９】
また、図５に示すように、制御部５０には例えばプリンター等の印字部６が接続されている。印字部６は紙幣入金装置の筐体１に取り付けられていてもよいし、筐体１から分離して設けられていてもよい。印字部６は、紙幣Ｐの計数結果等を印字するようになっている。具体的には、印字部６は、例えば、集積部６０から前面開口部６１を介して筐体１の外部に取り出された紙幣Ｐの金種毎の枚数や、収納庫７０に収納された紙幣Ｐの金種毎の枚数を印字するようになっている。
【００４０】
また、図５に示すように、制御部５０には設定部５２が接続されている。設定部５２では、操作者によって表示入力部５の各入力キー５ｂにより入力され制御部５０に送られた指令に基づいて、集積部６０から前面開口部６１を介して筐体１の外部に取り出されるべき取出紙幣Ｐの金種および金種毎の枚数が設定されるようになっている。また、設定部５２は、集積部６０から前面開口部６１を介して筐体１の外部に取り出されるべき取出紙幣Ｐのバッチ取り出しを行う際のバッチ枚数も設定することができるようになっている。ここで、バッチ取り出しとは、集積部６０に同一金種の紙幣Ｐが予め設定されたバッチ枚数だけ集積される度にこのバッチ枚数分の紙幣Ｐを一括して筐体１の外部に取り出す動作を複数回行うことをいう。設定部５２は、このようなバッチ取り出しにおける取り出し動作の回数も設定することができるようになっている。言い換えると、筐体１の外部に取り出されるべき取出紙幣Ｐの（合計）枚数は、設定されたバッチ枚数と、設定された取り出し動作の回数の積と等しくなる。
【００４１】
また、図５に示すように、制御部５０には記憶部５４が接続されている。記憶部５４には、設定部５２により設定された設定内容や、紙幣Ｐの計数結果等（具体的には、例えば、集積部６０から前面開口部６１を介して筐体１の外部に取り出された紙幣Ｐの金種毎の枚数や、収納庫７０に収納された紙幣Ｐの金種毎の枚数）が記憶されるようになっている。
【００４２】
また、図５に示すように、制御部５０にはインターフェース部５６が接続されており、このインターフェース部５６を介して制御部５０は外部にある上位装置等の外部装置と信号の送受信を行うことができるようになっている。
【００４３】
次に、このような構成からなる本実施の形態の紙幣入金装置の動作について説明する。
【００４４】
本実施の形態の紙幣入金装置では、受入部２５により筐体１の内部に取り込まれた紙幣Ｐを搬送部３０によって１枚ずつ搬送しつつ識別部４０によって金種、真偽等を識別した上で集積部６０へ搬送させるようになっている。そして、集積部６０へ搬送された紙幣Ｐは、挟持搬送機構１０によって収納庫７０へ搬送されるか（図２の矢印Ａ１参照）、あるいは、挟持搬送機構１０を作動させることなく前面開口部６１を介して外部から取り出されるか（図２の矢印Ａ２参照）のいずれか一方の処理が行われる。どちらの処理が行われるかは、設定部５２により設定された設定内容に基づいて制御部５０により決められる。以下、１つの金種の紙幣Ｐが載置部２０に載置される場合および複数の金種の紙幣Ｐが載置部２０に載置される場合についてそれぞれ説明する。
【００４５】
まず、載置部２０に載置される紙幣Ｐの金種が１つである場合について図６に示すフローチャートを用いて説明する。
【００４６】
紙幣入金装置において１つの金種の紙幣Ｐの入金処理を行う場合、載置部２０に載置された紙幣Ｐを受入部２５により筐体１の内部に取り込む前に、操作者はまず表示入力部５の各入力キー５ｂにより、載置部２０に載置される紙幣Ｐの金種、および集積部６０から前面開口部６１を介して筐体１の外部に取り出されるべき取出紙幣Ｐの枚数を入力し、設定部５２は、この入力された情報に基づいて取出紙幣Ｐの情報の設定を行う。具体的には、操作者は、取出紙幣Ｐのバッチ取り出しを行う際のバッチ枚数および取り出し回数を入力する（図６のＳＴＥＰ１）。この際に、設定部５２により設定された取出紙幣Ｐの情報は、表示入力部５のモニタ５ａに表示される。なお、載置部２０に載置される紙幣Ｐの金種が１つである場合には、操作者により入力された、載置部２０に載置される紙幣Ｐの金種は、集積部６０から前面開口部６１を介して筐体１の外部に取り出されるべき取出紙幣Ｐの金種と同じとなる。以下、設定部５２において、例えば載置部２０に載置される紙幣Ｐの金種が千円札、バッチ枚数が１０枚、取り出し回数が１０回であると設定された場合について説明する。
【００４７】
載置部２０に載置された紙幣Ｐを受入部２５により筐体１の内部に取り込む前の状態では、前面シャッター部６２により前面開口部６１は閉じられている。
【００４８】
操作者が表示入力部５のスタート／ストップキーを押下すると、載置部２０に載置された紙幣Ｐは受入部２５により１枚ずつ筐体１の内部に取り込まれ、搬送部３０によって搬送される（図６のＳＴＥＰ２）。この際に、搬送部３０に設けられた識別部４０によって、搬送部３０で搬送される紙幣Ｐが識別計数される（図６のＳＴＥＰ３）。ここで、搬送部３０で紙幣Ｐが搬送されているときに識別異常や搬送異常が発生した場合には（図６のＳＴＥＰ３の「ＹＥＳ」）、当該紙幣Ｐはリジェクト部６５へ搬送される（図６のＳＴＥＰ４）。他方、このような識別異常や搬送異常が発生しない場合には（図６のＳＴＥＰ３の「ＮＯ」）、搬送部３０で搬送されている紙幣Ｐは集積部６０に搬送される（図６のＳＴＥＰ５）。集積部６０に送られた紙幣Ｐの枚数が、設定部５２で設定されたバッチ枚数（具体的には、例えば１０枚）に達するまで、図６のＳＴＥＰ２〜ＳＴＥＰ５に示すような動作が繰り返し行われる（図６のＳＴＥＰ７の「ＮＯ」）。
【００４９】
一方、集積部６０に送られた紙幣Ｐの枚数が、設定部５２で設定されたバッチ枚数に達すると（図６のＳＴＥＰ７の「ＹＥＳ」）、前面シャッター部６２は前面開口部６１を開き、操作者は前面開口部６１を介して集積部６０から１０枚の紙幣Ｐの束を取り出し可能となる（図６のＳＴＥＰ８）。その後、操作者により集積部６０から前面開口部６１を介して取出紙幣Ｐが筐体１の外部に取り出されると、前面シャッター部６２は前面開口部６１を再び閉じる。その後、取出紙幣Ｐの取り出し回数が、設定部５２で設定された取り出し回数（具体的には、例えば１０回）に達していない場合は（図６のＳＴＥＰ９の「ＮＯ」）、図６のＳＴＥＰ２〜ＳＴＥＰ８に示すような動作が再び行われる。
【００５０】
また、取出紙幣Ｐの取り出し回数が、設定部５２で設定された取り出し回数に達すると（図６のＳＴＥＰ９の「ＹＥＳ」）、すなわち、集積部６０から前面開口部６１を介して１０枚の取出紙幣Ｐの束が筐体１の外部に取り出されるという動作が１０回行われると、引き続き、載置部２０に残っている紙幣Ｐについて受入部２５により筐体１の内部に取り込んで搬送部３０を経由して集積部６０へ搬送させるという動作が行われるが、この動作が行われている間、前面シャッター部６２は前面開口部６１を閉じたままとなっている。その後、載置部２０に載置された紙幣Ｐが全て筐体１の内部に取り込まれると、集積部６０に集積された紙幣Ｐは全て挟持搬送機構１０によって収納庫７０へ搬送される（図６のＳＴＥＰ１０）。
【００５１】
なお、上述のようなＳＴＥＰ２〜ＳＴＥＰ１０に示す動作が行われている間、表示入力部５のモニタ５ａには紙幣Ｐの計数情報が表示されるようになっている。具体的には、モニタ５ａには、集積部６０から前面開口部６１を介して筐体１の外部に取り出された取出紙幣Ｐの金種毎の枚数および金額、および収納庫７０に収納された収納紙幣Ｐの金種毎の枚数および金額が表示されるようになっている。また、モニタ５ａには、集積部６０から前面開口部６１を介して筐体１の外部に取り出された取出紙幣Ｐの金額と、収納庫７０に収納された収納紙幣Ｐの金額とを合算した合計金額が表示されるようになっている。
【００５２】
最後に、制御部５０は、集積部６０から前面開口部６１を介して筐体１の外部に取り出された紙幣の金額（具体的には、千円札×１０枚×１０回の取り出し＝１００，０００円）、および収納庫７０に収納された紙幣の金額を合算して入金金額を算出する。算出された入金金額は、記憶部５４に記憶されたり、表示入力部５のモニタ５ａに表示されたり、印字部６により印字されたり、あるいはインターフェース部５６により外部装置に送られたりする。
【００５３】
なお、取出紙幣Ｐの取り出し回数が、設定部５２で設定された取り出し回数に達するまでに、載置部２０に載置された紙幣Ｐが全て筐体１の内部に取り込まれた場合には（図６のＳＴＥＰ６の「ＹＥＳ」）、集積部６０に集積された紙幣の枚数の累計が、設定部５２で設定された取出紙幣Ｐの枚数よりも少ないということを意味する。この場合は、この情報が表示入力部５のモニタ５ａに表示される。具体的には、モニタ５ａにおける取出紙幣Ｐの枚数の欄が反転表示される。また、この場合に、このことが印字部６により印字されるようになっていてもよい（図６のＳＴＥＰ１１）。
【００５４】
次に、載置部２０に載置される紙幣Ｐの金種が複数である場合について、図７および図９に示す表示入力部５のモニタ５ａの画面および図８に示すフローチャートを用いて説明する。
【００５５】
紙幣入金装置において複数の金種の紙幣Ｐの入金処理を行う場合、載置部２０に載置される紙幣Ｐの束は、例えば、レジスターのレジドロア内で金種別に収納された紙幣Ｐの束が重ね合わせられたものとなる。このように、金種別に収納された紙幣Ｐの束が重ね合わせられて載置部２０に載置されるので、載置部２０に載置される紙幣Ｐの束には金種別に層が形成されている。具体的には、レジスターのレジドロア内で千円札、二千円札、五千円札および一万円札が金種別に収納されており、これらの各金種の紙幣の束が重ね合わせられて載置部２０に載置される。より詳細には、図１１に示すように、下から順に千円札の層、五千円札の層、一万円札の層および二千円札の層が形成されるよう、紙幣Ｐの束が載置部２０に載置される。このため、千円札、五千円札、一万円札、二千円札の順に、載置部２０に載置された紙幣Ｐは受入部２５により筐体１の内部に取り込まれることとなる。
【００５６】
また、載置部２０に載置された紙幣Ｐを受入部２５により筐体１の内部に取り込む前に、操作者はまず表示入力部５の各入力キー５ｂにより、集積部６０から前面開口部６１を介して筐体１の外部に取り出されるべき取出紙幣Ｐの金種および金種毎の枚数を入力し、設定部５２は、この入力された情報に基づいて取出紙幣Ｐの情報の設定を行う（図８のＳＴＥＰ１）。具体的には、操作者は、筐体１の外部に取り出されるべき取出紙幣Ｐについて、バッチ取り出しを行う際のバッチ枚数および取り出し回数を入力する。図７に示すように、設定部５２により設定された取出紙幣Ｐの情報は、表示入力部５のモニタ５ａに表示される。
【００５７】
図７を用いてより詳細に説明すると、設定部５２において、例えば筐体１の外部に取り出されるべき取出紙幣Ｐの金種として千円札および五千円札を設定し、千円札について１００枚、五千円札について１０枚取り出すことを設定する。ここで、千円札については、バッチ枚数を２０枚、取り出し回数（紙幣Ｐの束の数）を５回と設定する。また、五千円札については、バッチ枚数を５枚、取り出し回数（紙幣Ｐの束の数）を２回と設定する。一方、二千円札および一万円札については、筐体１の外部に取り出されるべき取出紙幣Ｐの金種として設定しない。
【００５８】
載置部２０に載置された紙幣Ｐを受入部２５により筐体１の内部に取り込む前の状態では、前面シャッター部６２により前面開口部６１は閉じられている。
【００５９】
操作者が表示入力部５のスタート／ストップキーを押下すると、載置部２０に載置された紙幣Ｐは受入部２５により１枚ずつ筐体１の内部に取り込まれる。具体的には、まず、千円札が受入部２５により１枚ずつ筐体１の内部に取り込まれる。そして、集積部６０に送られた千円札の枚数が、設定部５２で設定されたバッチ枚数（具体的には、例えば２０枚）に達する度に、前面シャッター部６２は前面開口部６１を開き、操作者は前面開口部６１を介して集積部６０から２０枚の千円札の束を取り出し可能となる。そして、千円札の取り出し回数が、設定部５２で設定された取り出し回数（具体的には、例えば５回）に達すると、引き続き、載置部２０に残っている千円札について受入部２５により筐体１の内部に取り込んで搬送部３０を経由して集積部６０へ搬送させるという動作が行われるが、この動作が行われている間、前面シャッター部６２は前面開口部６１を閉じたままとなっている。その後、載置部２０に載置された千円札が全て筐体１の内部に取り込まれると、集積部６０に集積された千円札は全て挟持搬送機構１０によって収納庫７０へ搬送される（図８のＳＴＥＰ２）。
【００６０】
次に、五千円札が受入部２５により１枚ずつ筐体１の内部に取り込まれる。そして、千円札の場合と同様に、集積部６０に送られた五千円札の枚数が、設定部５２で設定されたバッチ枚数（具体的には、例えば５枚）に達する度に、前面シャッター部６２は前面開口部６１を開き、操作者は前面開口部６１を介して集積部６０から５枚の五千円札の束を取り出し可能となる。そして、五千円札の取り出し回数が、設定部５２で設定された取り出し回数（具体的には、例えば２回）に達すると、引き続き、載置部２０に残っている五千円札について受入部２５により筐体１の内部に取り込んで搬送部３０を経由して集積部６０へ搬送させるという動作が行われるが、この動作が行われている間、前面シャッター部６２は前面開口部６１を閉じたままとなっている。その後、載置部２０に載置された五千円札が全て筐体１の内部に取り込まれると、集積部６０に集積された五千円札は全て挟持搬送機構１０によって収納庫７０へ搬送される（図８のＳＴＥＰ３）。
【００６１】
次に、一万円札が受入部２５により１枚ずつ筐体１の内部に取り込まれる。ここで、千円札や五千円札の場合と違って、前面シャッター部６２は前面開口部６１を閉じたままであり、集積部６０に送られた一万円札を筐体１の外部に取り出すことはできない。そして、載置部２０に載置された一万円札が全て筐体１の内部に取り込まれると、集積部６０に集積された一万円札は全て挟持搬送機構１０によって収納庫７０へ搬送される（図８のＳＴＥＰ４）。
【００６２】
次に、二千円札が受入部２５により１枚ずつ筐体１の内部に取り込まれる。そして、一万円札の場合と同様に、前面シャッター部６２は前面開口部６１を閉じたままであり、集積部６０に送られた二千円札を筐体１の外部に取り出すことはできない。そして、載置部２０に載置された二千円札が全て筐体１の内部に取り込まれると、集積部６０に集積された二千円札は全て挟持搬送機構１０によって収納庫７０へ搬送される（図８のＳＴＥＰ５）。
【００６３】
また、上述のＳＴＥＰ２〜ＳＴＥＰ５に示すような動作が行われている間、図９に示すように、表示入力部５のモニタ５ａには紙幣Ｐの計数情報が表示されるようになっている。具体的には、モニタ５ａには、集積部６０から前面開口部６１を介して筐体１の外部に取り出された取出紙幣Ｐの金額、および収納庫７０に収納された収納紙幣Ｐの金額を合算した入金金額および入金枚数が金種毎に表示されるとともに全金種の合計金額（１，０６４，０００円）が表示されるようになっている（図９における「計数金額」の欄参照）。また、モニタ５ａには、集積部６０から前面開口部６１を介して筐体１の外部に取り出された取出紙幣Ｐの金種毎の枚数と、バッチ取り出しにおける取出紙幣Ｐの束数とが表示されるようになっている（図９における「準備枚数」の欄参照）。また、モニタ５ａには、収納庫７０に収納された収納紙幣Ｐの金種毎の枚数（図９における「収納枚数」の欄参照）、および収納庫７０に収納された収納紙幣Ｐの全金種の合計金額（９１４，０００円、図９における「カセット在り高」の欄参照）がそれぞれ表示されるようになっている。
【００６４】
また、操作者は、表示入力部５により制御部５０に対して、図９に示すようなモニタ５ａの表示画面を印字部６に印字させるような指令を行うことができる。このような指令が行われると、図９に示すようなモニタ５ａの表示画面が印字される。
【００６５】
また、千円札または五千円札が受入部２５により筐体１の内部に取り込まれる際に、千円札や五千円札の取り出し回数が、設定部５２で設定された取り出し回数に達するまでに、載置部２０に載置された千円札や五千円札が全て筐体１の内部に取り込まれる場合がある。このときには、集積部６０に集積された紙幣の枚数の累計が、設定部５２で設定された取出紙幣Ｐの枚数よりも少ないということとなる。この場合は、この情報が表示入力部５のモニタ５ａに表示される。具体的には、モニタ５ａにおける取出紙幣Ｐの枚数の欄が反転表示される。また、この場合に、このことが印字部６により印字されるようになっていてもよい。
【００６６】
以上のように本実施の形態の紙幣入金装置によれば、設定部５２において、筐体１の外部に取り出されるべき取出紙幣Ｐの金種および金種毎の枚数が設定されるようになっている。そして、設定部５２により設定された金種の紙幣Ｐが設定された枚数分だけ集積部６０に集積されると前面シャッター部６２により前面開口部６１を開き、設定部５２により設定された金種以外の紙幣Ｐが集積部６０に集積された場合は挟持搬送機構１０により集積部６０に集積された紙幣を収納庫７０へ移動させるようになっている。より詳細には、設定部５２は、筐体１の外部に取り出されるべき取出紙幣Ｐのバッチ取り出しを行う際のバッチ枚数も設定することができるようになっており、設定部５２により設定された金種の紙幣Ｐが設定されたバッチ枚数分だけ集積部６０に集積される毎に前面シャッター部６２により前面開口部６１を開くようになっている。また、設定部５２により設定された金種の紙幣Ｐが集積部６０に集積された場合であっても、設定部５２により設定された枚数を超える紙幣Ｐについては挟持搬送機構１０により収納庫７０へ移動させるようになっている。
【００６７】
このことにより、入金される紙幣Ｐの金種が特定の金種（例えば、千円札や五千円札）に偏る場合であってもこの特定の金種の紙幣Ｐを筐体１の外部から取り出し可能とすることにより収納庫７０の容量を低減することができる。また、入金処理および釣銭準備処理を同時に行うことができるので全体の処理時間を短縮することができる。
【００６８】
本実施の形態の紙幣入金装置においては、制御部５０は、集積部６０から前面開口部６１を介して筐体１の外部に取り出された紙幣の金額、および収納庫７０に収納された紙幣の金額を合算して入金金額を算出するようになっている（図９参照）。このことにより、収納庫７０に収納されずに筐体１の外部に取り出された紙幣の金額も入金金額に含ませることができる。
【００６９】
また、本実施の形態の紙幣入金装置においては、表示入力部５は、設定部５２により設定された金種の紙幣Ｐが集積部６０に集積された際に当該集積部６０に集積された紙幣Ｐの枚数の累計が設定部５２により設定された枚数に達しない場合にはこのことを表示するようになっている。また、この場合、印字部６は、このことを印字するようになっていてもよい（図６のＳＴＥＰ１１参照）。
【００７０】
なお、本実施の形態による紙幣入金装置は、上記の態様に限定されるものではなく、様々の変更を加えることができる。
【００７１】
例えば、集積部６０に集積された紙幣Ｐを、集積部６０から前面開口部６１を介して筐体１の外部に取り出すにあたり、上述のようなバッチ取り出しが行われないようになっていてもよい。この場合には、設定部５２では、集積部６０から前面開口部６１を介して筐体１の外部に取り出されるべき取出紙幣Ｐの金種および金種毎の枚数のみが設定されることとなる。また、この場合、設定部５２により設定された金種の紙幣Ｐが設定された枚数分だけ集積部６０に集積されると前面シャッター部６２により前面開口部６１を開き、集積部６０から取出紙幣Ｐが取り出されて前面シャッター部６２が前面開口部６１を閉じると、その後に集積部６０に集積された紙幣Ｐを全て収納庫７０に移動させることとなる。
【００７２】
また、本実施の形態による紙幣入金装置の他の変形例について、図１０に示すフローチャートを用いて説明する。
【００７３】
この変形例に係る紙幣入金装置では、設定部５２において、集積部６０から前面開口部６１を介して筐体１の外部に取り出されるべき取出紙幣Ｐの金種および金種毎の枚数が設定されるのではなく、代わりに、収納庫７０に収納されるべき収納紙幣Ｐの金額が設定されるようになっている。そして、収納庫７０に収納された紙幣Ｐの金額が設定部５２により設定された金額に達するまでは集積部６０に集積された紙幣Ｐを挟持搬送機構１０により収納庫７０へ移動させ、収納庫７０に収納された紙幣Ｐの金額が設定部５２により設定された金額に達すると前面シャッター部６２により前面開口部６１を開くよう、制御部５０は前面シャッター部６２および挟持搬送機構１０の制御を行う。
【００７４】
図１０に示すフローチャートを用いてより詳細に説明すると、載置部２０に載置された紙幣Ｐを受入部２５により筐体１の内部に取り込む前に、操作者はまず表示入力部５の各入力キー５ｂにより、収納庫７０に収納されるべき収納紙幣Ｐの金額を入力し、設定部５２は、この入力された情報に基づいて収納紙幣Ｐの情報の設定を行う（図１０のＳＴＥＰ１）。
【００７５】
載置部２０に載置された紙幣Ｐを受入部２５により筐体１の内部に取り込む前の状態では、前面シャッター部６２により前面開口部６１は閉じられている。
【００７６】
操作者が表示入力部５のスタート／ストップキーを押下すると、載置部２０に載置された紙幣Ｐは受入部２５により１枚ずつ筐体１の内部に取り込まれ、搬送部３０によって搬送される（図１０のＳＴＥＰ２）。この際に、搬送部３０に設けられた識別部４０によって、搬送部３０で搬送される紙幣Ｐが識別計数される（図１０のＳＴＥＰ３）。ここで、搬送部３０で紙幣Ｐが搬送されているときに識別異常や搬送異常が発生した場合には（図１０のＳＴＥＰ３の「ＹＥＳ」）、当該紙幣Ｐはリジェクト部６５へ搬送される（図１０のＳＴＥＰ４）。他方、このような識別異常や搬送異常が発生しない場合には（図１０のＳＴＥＰ３の「ＮＯ」）、搬送部３０で搬送されている紙幣Ｐは集積部６０に搬送される（図１０のＳＴＥＰ５）。集積部６０に送られた紙幣Ｐの枚数が、設定部５２で設定された金額に達するまで、図１０のＳＴＥＰ２〜ＳＴＥＰ５に示すような動作が繰り返し行われる（図１０のＳＴＥＰ７の「ＮＯ」）。
【００７７】
一方、集積部６０に送られた紙幣Ｐの金額が、設定部５２で設定された金額を超えると（図１０のＳＴＥＰ７の「ＹＥＳ」）、集積部６０に集積された紙幣Ｐは挟持搬送機構１０によって収納庫７０へ搬送される（図１０のＳＴＥＰ８）。その後、前面シャッター部６２は前面開口部６１を開き、集積部６０に送られた紙幣Ｐは、前面開口部６１を介して筐体１の外部に取り出し可能となる（図１０のＳＴＥＰ９）。
【００７８】
なお、設定部５２は、この設定部５２により設定された金額の紙幣Ｐが収納庫７０に収納された後に筐体１の外部に取り出されるべき取出紙幣Ｐのバッチ取り出しを行う際の金種およびバッチ枚数も設定することができるようになっていてもよい。この場合、集積部６０に集積された紙幣Ｐが挟持搬送機構１０によって収納庫７０へ搬送された後も前面シャッター部６２により前面開口部６１は閉じられたままとなり、制御部５０は、設定部５２により設定された金種の紙幣Ｐが設定されたバッチ枚数分だけ集積部６０に集積される毎に前面シャッター部６２により前面開口部６１を開くよう制御を行う。また、この際に、集積部６０に集積された紙幣Ｐの枚数がバッチ枚数に達しなかったときには、表示入力部５のモニタ５ａにこのことが表示されるようになっている。
【００７９】
最後に、制御部５０は、集積部６０から前面開口部６１を介して筐体１の外部に取り出された紙幣の金額、および収納庫７０に収納された紙幣の金額を合算して入金金額を算出する。算出された入金金額は、記憶部５４に記憶されたり、表示入力部５のモニタ５ａに表示されたり、印字部６により印字されたり、あるいはインターフェース部５６により外部装置に送られたりする。
【００８０】
ところで、集積部６０に送られた紙幣Ｐの金額が、設定部５２で設定された金額を超える前に、載置部２０に載置された紙幣Ｐが全て筐体１の内部に取り込まれた場合には（図１０のＳＴＥＰ６の「ＹＥＳ」）、集積部６０に集積された紙幣Ｐの合計金額が、設定部５２で設定された金額よりも少ないということを意味する。この場合は、集積部６０に集積された紙幣Ｐは全て挟持搬送機構１０によって収納庫７０へ搬送される（図１０のＳＴＥＰ１０）。また、集積部６０に集積された紙幣Ｐの合計金額が、設定部５２で設定された金額よりも少ないという情報が表示入力部５のモニタ５ａに表示される。具体的には、モニタ５ａにおける収納紙幣Ｐの金額の欄が反転表示される。また、この場合に、このことが印字部６により印字されるようになっていてもよい。なお、集積部６０に送られた紙幣Ｐの金額が設定部５２で設定された金額を超える前に、載置部２０に載置された紙幣Ｐが全て筐体１の内部に取り込まれた場合において（図１０のＳＴＥＰ６の「ＹＥＳ」）、集積部６０に集積された紙幣Ｐを収納庫７０へ収納させる代わりに、前面シャッター部６２により前面開口部６１を開き、集積部６０に送られた紙幣Ｐを、前面開口部６１を介して筐体１の外部に取り出し可能としてもよい。
【００８１】
図１０のフローチャートに示すような動作を行う紙幣入金装置においては、前述のように、制御部５０は、集積部６０から前面開口部６１を介して筐体１の外部に取り出された紙幣の金額、および収納庫７０に収納された紙幣の金額を合算して入金金額を算出するようになっている。このため、筐体１の外部に取り出された紙幣の金額も入金金額に含ませることができる。
【符号の説明】
【００８２】
１    筐体
５    表示入力部
５ａ  モニタ
５ｂ  入力キー
６    印字部
１０  挟持搬送機構
１１  第一当接搬送部
１１ａ  第一上部ローラ
１１ｂ  第一下部ローラ
１１ｃ  ベルト
１２  第二当接搬送部
１２ａ  第二上部ローラ
１２ｂ  第二下部ローラ
１３  スライド部
１４  弾性部材
２０  載置部
２５  受入部
２６  キッカローラ
２７ａ  フィードローラ
２７ｂ  ゲートローラ
３０  搬送部
３１  搬送ベルト
３２  搬送ローラ
３５  羽根車
３５ａ  羽根
４０  識別部
５０  制御部
５２  設定部
５４  記憶部
５６  インターフェース部
６０  集積部
６１  前面開口部
６２  前面シャッター部
６４  支持部
６５  リジェクト部
７０  収納庫
７１  スリット開口部
７２  スリットシャッター部
７５  収納筐体
７６  ロック部材
Ｐ    紙幣
【図１】
2011123538.tif 000003
【図２】
2011123538.tif 000004
【図３】
2011123538.tif 000005
【図４】
2011123538.tif 000006
【図５】
2011123538.tif 000007
【図６】
2011123538.tif 000008
【図７】
2011123538.tif 000009
【図８】
2011123538.tif 000010
【図９】
2011123538.tif 000011
【図１０】
2011123538.tif 000012
【図１１】
2011123538.tif 000013